(57)【要約】【課題】サージ吸収部品を容易に、かつ通電可能な状態で交換できる配線用遮断器を提供すること。【解決手段】電源側および負荷側に端子を備えた、過負荷または短絡の際に自動的に配線路を遮断する配線用遮断器１０において、端子３０に対して電気的に接続されると共に、外部に対して電力の入出力を行う接続端子部３８を有する外部電極３５と、端子３０および接続端子部３８の両者に対して電気的に接続されるサージ吸収部品５８と、端子３０近傍をスライド式で移動可能なカバー部材４２とを有し、サージ吸収部品５８をカバー部材４２に保持し、カバー部材４２をスライドさせて、サージ吸収部品５８を端子３０と接続端子部３８との間に通電可能な状態で介在させる。【選択図】図１
2009043421.tif 000002
【特許請求の範囲】
【請求項１】
電源側および負荷側に端子を備えた、過負荷または短絡の際に自動的に配線路を遮断する配線用遮断器において、
上記端子に対して電気的に接続されると共に、外部に対して電力の入出力を行う接続端子部を有する外部電極と、
上記端子および上記接続端子部の両者に対して電気的に接続されるサージ吸収部品と、
上記端子近傍をスライド式で移動可能なカバー部材と、
を有し、
上記サージ吸収部品を上記カバー部材に保持し、上記カバー部材をスライドさせて、上記サージ吸収部品を上記端子と上記接続端子部との間に通電可能な状態で介在させることを特徴とする配線用遮断器。
【請求項２】
前記端子を電源側および負荷側のそれぞれに複数設けると共に、当該複数の端子における各端子に対応するように前記接続端子部を設け、かつ前記サージ吸収部品を、前記各端子と対応するように前記カバー部材に複数保持し、前記カバー部材をスライドさせると、前記サージ吸収部品が、一対の前記端子および前記接続端子部との間に通電可能な状態で介在されることを特徴とする請求項１記載の配線用遮断器。
【請求項３】
前記外部電極は、前記接続端子部と前記端子との間を結ぶ１本の電力線を形成していることを特徴とする請求項１または２記載の配線用遮断器。
【発明の詳細な説明】
【技術分野】
【０００１】
本発明は、過負荷または短絡により回路に過電流が流れると、自動的に配線路を遮断する配線用遮断器に関する。
【背景技術】
【０００２】
従来から、無停電電源装置および電力変換装置等の電源装置には、内部の配線路等に負荷がかかるのを防止するために配線用遮断器が備えられている。また、これらの電源装置には、雷サージもしくは外来ノイズ等を吸収するためのサージアブソーバもしくはコンデンサ等のサージ吸収部品が配設されている。一般的に、サージ吸収部品は、電源装置の入力端子もしくは出力端子の直近または配線用遮断器の直近に取り付けられる。
【０００３】
特許文献１には、配線用遮断器を備えたブレーカ付ターミナルプラグが開示されている。このブレーカ付ターミナルプラグでは、配線用遮断器の出力端子の直近にサージ吸収部品が取り付けられている。
【０００４】
【特許文献１】特開平１０−１４０７９号公報（要約書）
【発明の開示】
【発明が解決しようとする課題】
【０００５】
しかしながら、特許文献１に開示されているブレーカ付ターミナルプラグでは、サージ吸収部品は、配線用遮断器の下部側に配線接続されている。したがって、各サージ吸収部品を配線用遮断器の端子等に配線接続しなければならず、当該サージ吸収部品を取り付けるための作業性が悪化するといった問題がある。また、サージ吸収部品の交換作業は、通電中に行われる場合がある。この場合、交換作業中の通電状態を維持するために、他のバイパス回路を用いて給電を行う必要がある。
【０００６】
本発明は、かかる問題に鑑みてなされたものであり、その目的とするところは、サージ吸収部品を容易に、かつ通電可能な状態で交換できる配線用遮断器を提供しようとするものである。
【課題を解決するための手段】
【０００７】
上記課題を解決するために、本発明は、電源側または負荷側に端子を備えた、過負荷および短絡の際に自動的に配線路を遮断する配線用遮断器において、端子に対して電気的に接続されると共に、外部に対して電力の入出力を行う接続端子部を有する外部電極と、端子および接続端子部の両者に対して電気的に接続されるサージ吸収部品と、端子近傍をスライド式で移動可能なカバー部材と、を有し、サージ吸収部品をカバー部材に保持し、カバー部材をスライドさせて、サージ吸収部品を端子と接続端子部との間に通電可能な状態で介在させるものである。
【０００８】
このように構成した場合には、カバー部材を端子側に向かってスライドさせるだけで、サージ吸収部品を端子と接続端子部との間に介在させることができる。このため、サージ吸収部品の取付作業が容易となる。また、カバー部材をスライドさせてサージ吸収部品を取り外すこともできるため、サージ吸収部品の取り外し作業も容易となる。さらに、カバー部材を１つのユニットとしてサージ吸収部品を交換することができる。このため、サージ吸収部品単体の接続作業を行う必要がなくなり、交換作業の時間を大幅に短縮できる。
【０００９】
また、他の発明は、上述の発明に加えて更に、端子を電源側および負荷側のそれぞれに複数設けると共に、当該複数の端子における各端子に対応するように接続端子部を設け、かつサージ吸収部品を、各端子と対応するようにカバー部材に複数保持し、カバー部材をスライドさせると、サージ吸収部品が、一対の端子および接続端子部との間に通電可能な状態で介在されるものである。
【００１０】
このように構成した場合には、カバー部材を端子側に向かってスライドさせるだけで、サージ吸収部品を複数設けられた一対の端子および接続端子部との間に介在させることができる。そのため、サージ吸収部品の取付作業が容易となる。また、カバー部材をスライドさせるといった単純な作業で、複数のサージ吸収部品を交換できる。このため、作業工程を大幅に削減することが可能となる。また、カバー部材はスライド式であるため、サージ吸収部品の取り外し作業も容易となる。
【００１１】
さらに、他の発明は、上述の発明に加えて更に、外部電極は、接続端子部と端子との間を結ぶ１本の電力線を形成しているものである。このように構成した場合には、接続端子部と端子とが通電した状態で、サージ吸収部品を交換することができる。したがって、サージ吸収部品の交換時に他のバイパス回路を設ける必要がなくなる。
【発明の効果】
【００１２】
本発明によると、サージ吸収部品を容易に、かつ通電可能な状態で交換できる配線用遮断器を提供することができる。
【発明を実施するための最良の形態】
【００１３】
（第１の実施の形態）
以下、本発明の第１の実施の形態に係る配線用遮断器１０について、図面を参照しながら説明する。なお、以下の説明（各実施の形態に共通）において、図１〜図４、図６および図７に示す矢示Ｘ１方向を前、矢示Ｘ２方向を後、矢示Ｙ１方向を左、矢示Ｙ２方向を右、矢示Ｚ１方向を上および矢示Ｚ２方向を下とそれぞれ規定する。
【００１４】
図１は、本発明の第１の実施の形態に係る配線用遮断器１０の分解斜視図である。図２は、本発明の第１の実施の形態に係る配線用遮断器１０からサージ付カバー体４０を外した状態を示す平面図である。図３は、図１中のサージ付カバー体４０の構成を示す図であり、（Ａ）は、サージ付カバー体４０を図１における矢示Ａ方向から見た状態を示す図であり、（Ｂ）は、サージ付カバー体４０の側断面図である。図４は、本発明の第１の実施の形態に係る配線用遮断器１０の平面図である。
【００１５】
配線用遮断器１０は三相三線式の電路に使用される配線用遮断器である。図１に示すように、配線用遮断器１０は、遮断器本体１２と、遮断器本体１２の電源側に取り付けられる３つの外部電極３５と、遮断器本体１２の電源側の領域に取り付けられるサージ付カバー体４０と、から主に構成されている。
【００１６】
遮断器本体１２は、電源供給を遮断することにより負荷回路等を損傷から回避する遮断器としての機能を有している。遮断器本体１２は、合成樹脂等の絶縁性を有する材質から形成されるケース体１４によって覆われている。このケース体１４は、例えば、中央ケース部１６、前方ケース部１８、後方ケース部２０の３つの部位を有している。中央ケース部１６の平面略中央には、電源を入り切りする切替スイッチ２１が設けられている。この切替スイッチ２１を前方に向かって引き上げると、通電状態となり、後方に向かって引き下げると遮断状態となる。また、中央ケース部１６の内部には、通電状態を遮断する不図示の引外し機構および遮断時に発生するアークを消弧する不図示の消弧装置が組み込まれている。
【００１７】
前方ケース部１８には、前方および上方に開口するような３つの前方空間部２２が形成されている。前方空間部２２は、本実施の形態では、左右に並ぶように３つ形成されている。具体的には、ベース部２３の左右両端には、外壁２５が立設され、その間の空間が、ベース部２３上にＸ１−Ｘ２軸方向に沿うように設けられる２つの仕切壁２４によって仕切られている。また、前方ケース部１８と中央ケース部１６との境界部近傍における側面には、上下方向に沿って溝状に切り欠かれた切欠部２６が形成されている。
【００１８】
後方ケース部２０にも、前方ケース部１８の場合と同様、後方および上方に開口するような３つの後方空間部２７が形成されている。具体的には、ベース部２３の左右両端には外壁２９が設けられ、その間の空間がベース部２３（図２を参照）上にＸ１−Ｘ２軸方向に沿って設けられた２つの仕切壁２８によって仕切られている。なお、本実施の形態では、後方ケース部２０は、前方ケース部１８と比較して、Ｘ１−Ｘ２軸方向に向かって短い長さに形成されている。
【００１９】
各前方空間部２２における後端部近傍には、電源側に接続される合計３つの電源端子３０がベース部２３に固定されている。各電源端子３０は、前方ケース部１８の上端面１８ａより上方に突出している。電源端子３０は、円柱形状を有しており、その外周面にはネジ溝が形成されている。一方、各後方空間部２７における略中央には、負荷側に接続される合計３つの負荷端子３１がベース部２３に固定されている（図２を参照）。各負荷端子３１は、ベース部２３から上方に突出するように設けられているが、後方ケース部２０の上端面２０ａより上方には突出していない。負荷端子３１は、円柱形状を有しており、その外周面にはネジ溝が形成されている。
【００２０】
図１および図２に示すように、各前方空間部２２には、合計３つの外部電極３５が配置される。外部電極３５は、銅やアルミニウム等のような導電性を有する金属から形成されている。外部電極３５は、Ｘ１−Ｘ２軸方向に縦長の平板状の形態を有する平板部３６と、平板部３６の中途部分から上方に向かって延出するＬ字端子部３７とを有している。Ｌ字端子部３７は、平板をＬ字状に折り曲げた形態を有している。具体的には、Ｌ字端子部３７は、平板部３６から上方に向かって延出する上方延出部３７ａと上方延出部３７ａの先端から前方に向かって延出する前方延出部３７ｂとから構成されている。平板部３６の前端部および後端部近傍には、それぞれ円形の孔となる円孔３６ａ，３６ｂが設けられている。外部電極３５における平板部３６の前端側の部分（円孔３６ａを有する領域近傍）が外部と接続するための接続端子部３８となっている。外部電極３５は、円孔３６ｂを電源端子３０に挿通させると共に、その上からナット３９を電源端子３０に締結することによって、前方空間部２２内に固定される。外部電極３５が前方空間部２２内に固定された状態では、Ｌ字端子部３７における前方延出部３７ｂは、上端面１８ａより上方に突出している。
【００２１】
サージ付カバー体４０は、図１および図３（Ａ），（Ｂ）に示すように、合成樹脂製のカバー部材４２と、サージ吸収部品５８が取り付けられた基板５０とから構成されている。図１に示すように、カバー部材４２は、平面状の平面部４３と、平面部４３の左右両端から、同方向に向かって対向するように延出する２つの側面部４４とを有している。図３（Ａ），（Ｂ）に示すように、平面部４３の下面４３ａには、上方に向かって窪む、矩形状の凹部４５が形成されている。また、平面部４３における凹部４５の後方には、円孔４６が左右に向かって３つ並ぶように設けられている。両側面部４４の後端には、内側に向かって突出する凸部４７が設けられている。凸部４７は、平面部４３の下面４３ａから側面部４４の下端に渡るように設けられている。
【００２２】
凹部４５には、基板５０が配置されている。基板５０は不図示の接着剤もしくはボルト等によって凹部４５内に固定されている。図３（Ｂ）に示すように、基板５０は、凹部４５の内部に完全に納まっている。そのため、本実施の形態では、基板５０の基板面５０ａは、平面部４３の下面４３ａから下方に飛び出すことはない。図３（Ａ）に示すように、基板５０は矩形状の形態を有しており、基板５０上には左右に３つ並ぶようにサージ吸収部品５８が取り付けられている。サージ吸収部品５８として、例えば、サージアブソーバを採用することが可能である。なお、サージ吸収部品５８として、サージアブソーバ以外に、コンデンサ、アレスタまたはバリスタ等を採用しても良い。また、基板５０には、導電可能な基板端子５２がサージ吸収部品５８の前方側に左右に３つ並ぶように形成されている。また、中央に取り付けられたサージ吸収部品５８の後方には、接地されたアース端子５４が形成されている。それぞれのサージ吸収部品５８は、基板５０上に形成された配線パターンにより、その入力側が左側の基板端子５２に接続されると共に、その出力側がアース端子５４に接続されている。
【００２３】
図１および図４に示すように、サージ付カバー体４０は、平面部４３に設けられた各円孔４６に各電源端子３０を挿通させるように前方ケース部１８上に被せられる。そして、各電源端子３０において平面部４３から突出した部分をキャップ４８で締めることによって、前方ケース部１８に対して固定される。キャップ４８の材料としては、例えば、非導電性の樹脂が挙げられる。キャップ４８の中央にはネジ溝が形成された不図示のネジ穴が形成されていて、この不図示のネジ穴に電極端子３０の先端を螺入させることにより、キャップ４８の締結が可能となっている。サージ付カバー体４０を前方ケース部１８に被せる際には、凸部４７を切欠部２６に係合させてから、下方に向けてスライドさせる。凸部４７が切欠部２６に係合することで、サージ付カバー体４０は、鉛直下方向に案内される。サージ付カバー体４０を前方ケース部１８に固定した状態では、各Ｌ字端子部３７の前方延出部３７ｂが、基板５０の各基板端子５２と接触する。また、サージ付カバー体４０を前方ケース部１８に被せた状態では、各サージ吸収部品５８は、各前方空間部２２内に納まった状態となる。
【００２４】
図５は、配線用遮断器１０の回路ブロック図である。
【００２５】
図５に示すように、外部と接続される各接続端子部３８は、遮断器本体１２の各電源端子３０に接続されている。また、接続端子部３８と電源端子３０とを結ぶ各電力線は、基板５０に形成された各基板端子５２を介してサージ吸収部品５８に接続されている。そして、各サージ吸収部品５８はアース端子５４を介して接地されている。接続端子部３８と電源端子３０とを結ぶ各電力線は、外部電極３５となっている。電源端子３０と負荷端子３１との間の接続および遮断は、遮断器本体１２の動作によって行われる。図５に示す構成により、接続端子部３８からサージもしくはノイズが侵入した場合、サージ吸収部品５８が機能し、当該サージもしくはノイズはアース側に流れる。そのため、接続端子部３８に侵入したサージもしくはノイズが遮断器本体１２に侵入するのを回避できる。
【００２６】
以上のように構成された配線用遮断器１０では、サージ付カバー体４０を下方に向かってスライドさせるだけで、３つのサージ吸収部品５８が各外部電極３５に対して電気的に接続される。このため、サージ吸収部品５８の取付作業が容易となる。また、サージ吸収部品５８を交換する場合、サージ付カバー体４０を１つのユニットとして交換することができるため、サージ吸収部品５８を単体で交換する必要がなくなる。その結果、サージ吸収部品５８の交換作業が容易となり、作業時間を大幅に短縮することが可能となる。また、接続端子部３８と電源端子３０とが外部電極３５によって電気的に接続された状態で、サージ付カバー体４０を着脱できる。このため、通電状態を保ったままサージ吸収部品５８を交換することが可能となる。したがって、他のバイパス回路に切り替える必要がなくなる。また、サージ付カバー体４０は、キャップ４８によって固定されているため、サージ付カバー体４０を遮断器本体１２に対して強固に固定することができる。したがって、Ｌ字端子部３７と基板端子５２とを確実に接続することができる。その結果、接触抵抗を小さくできると共に、配線インピーダンスも小さでき、サージ吸収部品５８の機能を効果的に発揮させることが可能となる。
【００２７】
（第２の実施の形態）
以下、本発明の第２の実施の形態に係る配線用遮断器６０について、図面を参照しながら説明する。なお、第２の実施の形態に係る配線用遮断器６０において、第１の実施の形態と共通する事項については、同一の符号を付すと共に、その説明を省略または簡略化する。
【００２８】
図６は、本発明の第２の実施の形態に係る配線用遮断器６０の分解斜視図である。図７は、図６中のサージ付カバー体８０の構成を示す図であり、（Ａ）は、サージ付カバー体８０を図６における矢示Ｂ方向から見た状態を示す図であり、（Ｂ）は、サージ付カバー体８０を、（Ａ）における矢示Ｃ方向から見た状態を示す図である。
【００２９】
本実施の形態における配線用遮断器６０も三相三線式の電路に使用される配線用遮断器である。図６に示すように、配線用遮断器６０は、遮断器本体６２と、外部電極７０と、サージ付カバー体８０と、から主に構成されている。
【００３０】
遮断器本体６２は、Ｙ１−Ｙ２軸を中心として前後に略対称に形成されている。各前方空間部２２には、図１等に示す場合と同様、合計３つの外部電極７０が配置される。外部電極７０は、平板状の平板部７１と、平板部７１の中途部分から上方に向かって延出するＬ字端子部７２とを有している。Ｌ字端子部７２は、平板をＬ字状に折り曲げた形態を有している。具体的には、Ｌ字端子部７２は、平板部７１の中途部分から上方に向かって延出する上方延出部７２ａと上方延出部７２ａの先端から後方に向かって延出する後方延出部７２ｂから構成されている。平板部７１の前端部および後端部近傍には、それぞれ円形の孔となるの円孔７１ａ，７１ｂが設けられている。外部電極７０が前方空間部２２内に固定された状態では、Ｌ字端子部７２の後方延出部７２ｂの高さは、前方ケース部１８の上端面１８ａよりも低い位置となっている。
【００３１】
サージ付カバー体８０は、図６および図７（Ａ），（Ｂ）に示すように、カバー部材８１と、サージ吸収部品５８が取り付けられた基板９０とから構成されている。カバー部材８１には、対向する側面部４４の間の空間を３等分に仕切る仕切部８４が設けられている。仕切部８４は、平面部４３の裏側から下方に向かって延出している。また、仕切部８４は、平面部４３の前端部４３ｄからその略中央に至るように形成されている。また、図７に示すように、両側面部４４の内側面４４ａには、平面部４３の裏側から側面部４４の下端に渡るように溝部８５が形成されている。当該溝部８５は、仕切部８４よりもやや後方の位置に対向するように形成されている。当該溝部８５は、カバー部材８１に配置される基板９０を係止するために設けられている。基板９０は、その左右両端が当該溝部８５に収まるように、カバー部材８１の下方から挿入される。また、基板９０は、その左右両端が溝部８５に収まった状態で、接着剤もしくは不図示のボルト等によってカバー部材８１に対して固定される。
【００３２】
本実施の形態では、図７（Ａ）に示すように、基板端子５２が基板９０の裏側に向かって突出している。基板９０は、アース端子５４が形成されている側を上に向け、かつ基板面９０ａを前方に向けて、カバー部材８１に取り付けられる。基板９０をカバー部材８１に取り付けた状態では、図７（Ａ）に示すように、各サージ吸収部品５８は、カバー部材８１において仕切部８４によって仕切られた空間にそれぞれ収まる。
【００３３】
サージ付カバー体８０を遮断器本体６２に取り付けた状態では、Ｌ字端子部７２における後方延出部７２ｂの上端面が基板端子５２の裏側に向かって突出する部分の裏側面５２ａと接触する。当該接触により、外部電極７０の接続端子部７４とサージ吸収部品５８との導通が可能となる。配線用遮断器６０の回路構成は、図５に示す構成と同様である。
【００３４】
以上のように構成された配線用遮断器６０では、サージ付カバー体８０を下方に向かってスライドさせるだけで、３つのサージ吸収部品５８が各外部電極７０に対して電気的に接続されるため、サージ吸収部品５８の取付作業を容易に行うことが可能である。また、サージ吸収部品５８を交換する場合、サージ付カバー体８０を１つのユニットとして交換することができるため、サージ吸収部品５８を単体として交換作業を行う必要がなくなる。その結果、サージ吸収部品５８を容易に交換することが可能となる。また、接続端子部７４と電源端子３０とが電気的に接続された状態で、サージ付カバー体８０を着脱できるため、通電状態を保ったままサージ吸収部品５８を交換することができる。
【００３５】
以上、本発明の一実施の形態について説明したが、本発明は上述の形態に限定されることなく、種々変形した形態にて実施可能である。
【００３６】
上述の各実施の形態では、電源端子３０にキャップ４８を締めることによって、サージ付カバー体４０，８０を遮断器本体１２，６２に固定しているが、当該固定方法に限定されるものではない。例えば、前方ケース部１８の上端面１８ａにネジ穴を設けると共に、平面部４３に孔を設け、ネジを当該孔に挿通させ、当該ネジ穴に螺入させることによって、サージ付カバー体４０，８０を遮断器本体１２，６２に固定するようにしても良い。また、サージ付カバー体４０，８０側に爪等の係合部を設けると共に、遮断器本体１２，６２側に凹部等を設け、係合部を凹部に係合させることにより、サージ付カバー体４０，８０を遮断器本体１２，６２に固定するようにしても良い。
【００３７】
また、上述の各実施の形態では、サージ付カバー体４０，８０が遮断器本体１２，６２から完全に取り外すことが可能な構成となっているが、このような構成に限定されるものではなく、例えば、凸部４７をカバー部材４２，８１の下端部近傍に設けられる突起とすると共に、切欠部２６の上端部を塞ぐことにより、当該突起が切欠部２６を塞いだ部分に当接させ、サージ付カバー体４０，８０が遮断器本体１２，６２から完全に外れるのを阻止するような構成としても良い。また、このような構成を採用する場合、サージ付カバー体４０，８０を上方に付勢する付勢部材を設けると共に、サージ付カバー体４０，８０と遮断器本体１２，６２とが係合可能な係合部を設け、両者間の係合を解除した場合、付勢部材の付勢力により、サージ付カバー部材４０，８０に設けられた突起を切欠部２６を塞いだ部分に当接させて、係合を解除した状態を維持できるような構成としても良い。
【００３８】
また、上述の各実施の形態では、基板５０，９０には、３つのサージ吸収部品５８が配設されているが、サージ吸収部品５８の数は３つに限定されるものではなく、基板５０，９０に４つ以上のサージ吸収部品５８を配設しても良い。また、サージ吸収部品５８として、サージアブソーバ以外にも、コンデンサ等、他の種類の部品を採用することができ、例えば、図８に示すように、基板６０，９０上にサージ吸収部品５８として、サージアブソーバとコンデンサとを併設するようにしても良い。
【００３９】
また、上述の各実施の形態では、配線用遮断器１０，６０は三線式の配線用遮断器であるが、配線用遮断器１０，６０は三線式のものに限定されず、二線以下としても良いし、四線以上としても良い。
【００４０】
また、上述の各実施の形態では、サージ付カバー体４０，８０は、電源端子３０側に配置されているが、サージ付カバー体４０，８０を配置する位置は、電源端子３０側に限定されるものではなく、負荷端子４６側に配置するようにしても良い。また、サージ付カバー体４０，８０を電源端子３０側および負荷端子３１側の両方に配置するようにしても良い。
【産業上の利用可能性】
【００４１】
本発明の配線用遮断器は、無停電電源装置および電力変換装置等の電源装置において利用することができる。
【図面の簡単な説明】
【００４２】
【図１】本発明の第１の実施の形態に係る配線用遮断器の分解斜視図である。
【図２】本発明の第１の実施の形態に係る配線用遮断器からサージ付きカバー体を外した状態を示す平面図である。
【図３】図１中のサージ付カバー体の構成を示す図であり、（Ａ）は、サージ付カバー体を図１における矢示Ａ方向から見た状態を示す図であり、（Ｂ）は、サージ付カバー体の側断面図である。
【図４】本発明の第１の実施の形態に係る配線用遮断器の平面図である。
【図５】本発明の第１の実施の形態に係る配線用遮断器の回路ブロック図である。
【図６】本発明の第２の実施の形態に係る配線用遮断器の分解斜視図である。
【図７】図６中のサージ付カバー体の構成を示す図であり、（Ａ）は、サージ付カバー体を図６における矢示Ｂ方向から見た状態を示す図であり、（Ｂ）は、サージ付カバー体を、（Ａ）における矢示Ｃ方向から見た状態を示す図である。
【図８】本発明の変形例を示す図であり、基板にサージ吸収部品として、サージアブソーバとコンデンサを併設した場合の配線用遮断器の回路ブロック図である。
【符号の説明】
【００４３】
１０，６０…配線用遮断器
３０…電源端子（電源側の端子）
３１…負荷端子（負荷側の端子）
３５，７０…外部電極
３８，７４…接続端子部
４２，８１…カバー部材
５８…サージ吸収部品
【図１】
2009043421.tif 000003
【図２】
2009043421.tif 000004
【図３】
2009043421.tif 000005
【図４】
2009043421.tif 000006
【図５】
2009043421.tif 000007
【図６】
2009043421.tif 000008
【図７】
2009043421.tif 000009
【図８】
2009043421.tif 000010